【手続補正書】
【提出日】平成24年7月30日(2012.7.30)
【手続補正１】
【補正対象書類名】明細書
【補正対象項目名】００１４
【補正方法】変更
【補正の内容】
【００１４】
から選択される（メタ）アクリレート基を含む置換基からなり、式中、Ｑは、Ｏ又はＳであり、
Ｌは、１つ以上のヒドロキシル基により置換されているか又は置換されていないＣ２〜Ｃ６のアルキレン基であり、
ｎは、１〜１０の範囲であり、及び
Ｒ１は、Ｈ又はＣＨ３である。
【手続補正２】
【補正対象書類名】明細書
【補正対象項目名】００４２
【補正方法】変更
【補正の内容】
【００４２】
から選択される（メタ）アクリレート置換基であり、
式中、Ｑは、Ｏ又はＳであり、
Ｌは、１つ以上のヒドロキシル基により置換されているか又は置換されていないＣ２〜Ｃ６のアルキレン基であり、
ｎは、０〜１０の範囲であり、
Ｒ１は、Ｈ又はＣＨ３であり、及び
上述したように、Ｒ３は、独立して、Ｈ、アリール、又はＣ２〜Ｃ１２のアルキル基である。
【手続補正３】
【補正対象書類名】明細書
【補正対象項目名】００６７
【補正方法】変更
【補正の内容】
【００６７】
から選択される（メタ）アクリレート基を含む置換基からなり、式中、Ｑは、Ｏ又はＳであり、
Ｌは、１つ以上のヒドロキシル基により置換されているか又は置換されていないＣ２〜Ｃ６のアルキレン基であり、
ｎは、１〜１０の範囲であり、及び
Ｒ１は、Ｈ又はＣＨ３である。
【手続補正４】
【補正対象書類名】明細書
【補正対象項目名】００７６
【補正方法】変更
【補正の内容】
【００７６】
ここで、Ｚは、独立して、−Ｃ（ＣＨ３）２−、−ＣＨ２−、−Ｃ（Ｏ）−、−Ｓ−、−Ｓ（Ｏ）−、又は−Ｓ（Ｏ）２−であり、それぞれのＱは、独立して、Ｏ又はＳであり、Ｌは、連結基である。Ｌは、独立して、分岐又は直鎖のＣ２〜Ｃ６アルキレン基を含んでよく、ｎは、０〜１０の範囲である。より好ましくは、Ｌは、Ｃ２又はＣ３であり、ｎは、０、１、２又は３である。アルキレン連結基の炭素鎖は、１つ以上のヒドロキシ基で置換されているか又は置換されていない。例えば、Ｌは、−ＣＨ２ＣＨ（ＯＨ）ＣＨ２−であってよい。通常は、連結基は同一である。Ｒ１は、独立して、水素又はメチルである。
【手続補正５】
【補正対象書類名】明細書
【補正対象項目名】００８４
【補正方法】変更
【補正の内容】
【００８４】
式中、それぞれのＲ１は、独立して、Ｈ又はメチルであり、
それぞれのＲ２は、独立して、Ｂｒであり、
ｍは、０〜４の範囲であり、
それぞれのＱは、独立して、Ｏ又はＳであり、
ｎは、０〜１０の範囲であり、
Ｌは、１つ以上のヒドロキシル基により置換されているか又は置換されていないＣ２〜Ｃ１２のアルキレン基であり、
ｚは、芳香環であり、及び
ｔは、独立して、０又は１である。
【手続補正６】
【補正対象書類名】明細書
【補正対象項目名】００９７
【補正方法】変更
【補正の内容】
【００９７】
式中、Ｒ１は、Ｈ又はＣＨ３であり、
Ｘは、Ｏ又はＳであり、
ｎは、０〜１０の範囲であり（例えばｎは、１、２、３、４、５、６、７、８、９、又は１０である）、及び
Ｌは、１〜５個の炭素原子を有するアルキレン基（即ちメチレン基、エチレン基、プロピレン基、ブチレン基、又はペンチレン基）であり、ヒドロキシ基によって置換されているか又は置換されていない。
【手続補正７】
【補正対象書類名】明細書
【補正対象項目名】０１００
【補正方法】変更
【補正の内容】
【０１００】
式中、Ｒ１は、Ｈ又はＣＨ３であり、
Ｘは、Ｏ又はＳであり、
Ｑは、−（Ｃ（ＣＨ３）２−、−ＣＨ２、−Ｃ（Ｏ）−、−Ｓ（Ｏ）−、及び−Ｓ（Ｏ）２−から選択され、
ｎは、０〜１０の範囲であり（例えばｎは、１、２、３、４、５、６、７、８、９、又は１０である）、及び
Ｌは、１〜５個の炭素原子を有するアルキレン基（即ちメチレン基、エチレン基、プロピレン基、ブチレン基、又はペンチレン基）であり、ヒドロキシ基によって置換されているか又は置換されていない。
【手続補正８】
【補正対象書類名】特許請求の範囲
【補正対象項目名】全文
【補正方法】変更
【補正の内容】
【特許請求の範囲】
【請求項１】
重合微細構造化表面を含む輝度向上フィルムであって、該重合微細構造化表面が、
５０重量％までの１種以上のトリフェニル（メタ）アクリレートモノマー、及び２５重量％〜７５重量％の、ビスフェノールＡ（メタ）アクリレート、芳香族エポキシ（メタ）アクリレート、及びこれらの混合物から選択される、１種以上のジ（メタ）アクリレートモノマー又はオリゴマーを含む重合性樹脂組成物の反応生成物を含む、輝度向上フィルム。
【請求項２】
重合微細構造化表面を含む光学フィルムであって、該重合微細構造化表面が、一般的構造
【化１】
2010520939.tif 000001
を有する少なくとも１種のトリフェニルモノマーを含む重合性樹脂組成物の反応生成物からなり、式中、Ｒ2は、独立して、Ｈ又は（メタ）アクリレート基を含む置換基であるとともに、少なくとも１つのＲ2は、（メタ）アクリレート基を含む置換基であり、
Ｘは、独立して、ハロゲン、アリール、又はＣ2〜Ｃ12のアルキル基であり、かつ
ｐは、０〜５である、光学フィルム。
【請求項３】
Ｒ2が、独立して
【化２】
2010520939.tif 000002
式中、Ｑは、Ｏ又はＳであり、
Ｌは、１つ以上のヒドロキシル基により置換されているか又は置換されていないＣ2〜Ｃ6のアルキレン基であり、
ｎは、０〜１０の範囲であり、かつ
Ｒ1は、Ｈ又はＣＨ3である、から選択される（メタ）アクリレート置換基である、請求項２に記載の光学フィルム。
【請求項４】
重合微細構造化表面を含む輝度向上フィルムであって、該重合微細構造化表面が、一般的構造
【化３】
2010520939.tif 000003
を有する少なくとも１種のトリフェニルモノマーを含む重合性樹脂組成物の反応生成物からなり、式中、Ｒ2は、独立して、Ｈ、メチル、又は（メタ）アクリレート基を含む置換基であるとともに、少なくとも１つのＲ2は、（メタ）アクリレート基を含む置換基であり、
Ｘは、独立して、ハロゲン、アリール、又はＣ2〜Ｃ12のアルキル基であり、
かつｐは、０〜５である、輝度向上フィルム。
【請求項５】
ｐが、０である、請求項４に記載の輝度向上フィルム。
【請求項６】
Ｒ2が、独立して、
【化４】
2010520939.tif 000004
式中、Ｑは、Ｏ又はＳであり、
Ｌは、１つ以上のヒドロキシル基により置換されているか又は置換されていないＣ2〜Ｃ6のアルキレン基であり、
ｎは、０〜１０の範囲であり、
Ｒ1は、Ｈ又はＣＨ3であり、かつ
Ｒ3は、ハロゲン、アリール、又はＣ2〜Ｃ12のアルキル基である、から選択される（メタ）アクリレート置換基である、請求項４に記載の輝度向上フィルム。
【請求項７】
重合微細構造化表面を含む光学フィルムであって、該重合微細構造化表面が、一般的構造
【化５】
2010520939.tif 000005
を有する少なくとも１種のトリフェニルモノマーを含む重合性樹脂組成物の反応生成物からなり、式中、Ｒ2は、独立して、Ｈ又は（メタ）アクリレート基を含む置換基であるとともに、少なくとも２つのＲ2基が（メタ）アクリレート基を含み、
Ｘは、独立して、ハロゲン、アリール、又はＣ2〜Ｃ12のアルキル基であり、
Ｒ3は、独立して、水素、メチル、アリール、又はＣ2〜Ｃ12のアルキル基であり、かつ
ｐが、０〜５である、光学フィルム。
【請求項８】
Ｒ2が、独立して、
【化６】
2010520939.tif 000006
式中、Ｑは、Ｏ又はＳであり、
Ｌは、１つ以上のヒドロキシル基により置換されているか又は置換されていないＣ2〜Ｃ6のアルキレン基であり、
ｎは、０〜１０の範囲であり、
Ｒ1は、Ｈ又はＣＨ3であり、かつ
Ｒ3は、ハロゲン、アリール、又はＣ2〜Ｃ12のアルキル基である、から選択される（メタ）アクリレート置換基である、請求項７に記載の光学フィルム。
【請求項９】
前記重合性樹脂組成物が、
５０重量％までの１種以上のトリフェニル（メタ）アクリレートモノマー、及び
２５重量％〜７５重量％の、少なくとも２つの重合性（メタ）アクリレート基を有する、１種以上のマルチ（メタ）アクリレートモノマー又はオリゴマーを含む、請求項２〜３及び７〜８のいずれか一項に記載の光学フィルム。
【請求項１０】
前記マルチ（メタ）アクリレートモノマーが、１種以上のビスフェノールＡ（メタ）アクリレート、芳香族エポキシ（メタ）アクリレート、及びこれらの混合物を含む、請求項９に記載の光学フィルム。
【請求項１１】
トリフェニルモノマーがモノ（メタ）アクリレート又はトリ（メタ）アクリレートである、請求項４に記載の輝度向上フィルム。
【請求項１２】
Ｒ2が式ｉ）の（メタ）アクリレート置換基である、請求項６に記載の輝度向上フィルム。
【請求項１３】
Ｒ3が独立して水素又はメチルである、請求項７に記載の光学フィルム。